(57)【要約】      （修正有）【課題】チップアンテナをイヤホン内に設置することにより、アンテナの効率を改善し、マザーボートの面積を小さくしたイヤホン装置を提供する。【解決手段】イヤホン装置Ｚは、同軸伝送線路、受話器２ａ、２ｂ及び信号処理モジュール３を含む。同軸伝送線路は、第１のターミナルと第２のターミナルを有する。受話器は、アンテナモジュール２１ａとスピーカーモジュール２２ａ、２２ｂを含む。アンテナモジュールとスピーカーモジュールは、互いに電気的に接続されると共に、同軸伝送線路８、９の第１のターミナルに電気的に接続される。信号処理モジュールは、基本周波数ユニットと無線周波数ユニットを含む。基本周波数ユニットと無線周波数ユニットは、互いに電気的に接続されると共に、同軸伝送線路の第２のターミナルに電気的に接続される。これにより、マザーボートの面積を有効に小さくしたりアンテナの効率を有効に向上させたりすることができる。【選択図】図７
0003180741.tif 000002
【実用新案登録請求の範囲】
【請求項１】
同軸伝送線路、受話器及び信号処理モジュールを含み、
前記同軸伝送線路は、第１のターミナルと第２のターミナルを有し、
前記受話器は、アンテナモジュールとスピーカーモジュールを含み、
前記アンテナモジュールと前記スピーカーモジュールは、互いに電気的に接続されると共に、前記同軸伝送線路の前記第１のターミナルに電気的に接続され、
前記信号処理モジュールは、基本周波数ユニットと無線周波数ユニットを含み、
前記基本周波数ユニットと前記無線周波数ユニットは、互いに電気的に接続されると共に、前記同軸伝送線路の前記第２のターミナルに電気的に接続されることを特徴とするアンテナを搭載したイヤホン装置。
【請求項２】
前記同軸伝送線路は、中心導体と、前記中心導体を覆うための絶縁体と、前記絶縁体を覆うための外部導体と、を含み、
前記中心導体の両端は、フィードインターミナルと信号接続ターミナルを有し、
前記外部導体は接地接続ターミナルを有することを特徴とする請求項１に記載のアンテナを搭載したイヤホン装置。
【請求項３】
前記信号処理モジュールに電気的に接続される電池モジュールを更に含むことを特徴とする請求項１に記載のアンテナを搭載したイヤホン装置。
【請求項４】
ハウジングを更に含み、
前記同軸伝送線路、前記受話器、前記信号処理モジュール及び前記電池モジュールは前記ハウジングの内部に設置されることを特徴とする請求項３に記載のアンテナを搭載したイヤホン装置。
【請求項５】
第１の同軸伝送線路、第２の同軸伝送線路、受話器ユニット及び信号処理モジュールを含み、
前記第１の同軸伝送線路は、第１のターミナルと第２のターミナルを有し、
前記第２の同軸伝送線路は、第１のターミナルと第２のターミナルを有し、
前記受話器ユニットは、第１の受話器と第２の受話器を含み、
前記第１の受話器は、第１のアンテナモジュールと第１のスピーカーモジュールを含み、
前記第１のアンテナモジュールと前記第１のスピーカーモジュールは、互いに電気的に接続されると共に、前記第１の同軸伝送線路の前記第１のターミナルに電気的に接続され、
前記第２の受話器は、前記第２の同軸伝送線路の前記第１のターミナルに電気的に接続される第２のスピーカーモジュールを含み、
前記信号処理モジュールは、基本周波数ユニットと無線周波数ユニットを含み、
前記基本周波数ユニットと前記無線周波数ユニットは、互いに電気的に接続されると共に、前記第１の同軸伝送線路の前記第２のターミナルと前記第２の同軸伝送線路の前記第２のターミナルに電気的に接続されることを特徴とするアンテナを搭載したイヤホン装置。
【請求項６】
前記第１の同軸伝送線路は、中心導体と、前記中心導体を覆うための絶縁体と、前記絶縁体を覆うための外部導体と、を含み、前記中心導体の両端がフィードインターミナルと信号接続ターミナルを有し、前記外部導体が接地接続ターミナルを有し、
前記第２の同軸伝送線路は、中心導体と、前記中心導体を覆うための絶縁体と、前記絶縁体を覆うための外部導体と、を含み、前記中心導体の両端がフィードインターミナルと信号接続ターミナルを有し、前記外部導体が接地接続ターミナルを有するようにすることを特徴とする請求項５に記載のアンテナを搭載したイヤホン装置。
【請求項７】
前記信号処理モジュールに電気的に接続される電池モジュールを更に含むことを特徴とする請求項５に記載のアンテナを搭載したイヤホン装置。
【請求項８】
第１のハウジングを更に含み、
前記第１の同軸伝送線路、前記第１の受話器及び前記信号処理モジュールは前記第１のハウジングの内部に設置されることを特徴とする請求項５に記載のアンテナを搭載したイヤホン装置。
【請求項９】
第２のハウジングを更に含み、
前記第２の同軸伝送線路、前記第２の受話器及び前記電池モジュールは前記第２のハウジングの内部に設置されることを特徴とする請求項７に記載のアンテナを搭載したイヤホン装置。
【考案の詳細な説明】
【技術分野】
【０００１】
本考案は、イヤホン装置に関するものであり、特にアンテナを耳栓の内部に搭載したイヤホン装置に関するものである。
【背景技術】
【０００２】
携帯電話、ノートパソコンなどの電子機器の多くはブルートゥース（Ｂｌｕｅｔｏｏｔｈ、登録商標）通信機能を有するため、ユーザーがブルートゥース通信機能を搭載したブルートゥース無線イヤホン（ｂｌｕｅｔｏｏｔｈ（登録商標） ｗｉｒｅｌｅｓｓ ｅａｒｐｈｏｎｅ）により電子機器との通信を行うことによって、音楽を聞くことができるようになっている。しかしながら、通常、従来のブルートゥース無線イヤホンは、同軸伝送線路（ｃｏａｘｉａｌ ｔｒａｎｓｍｉｓｓｉｏｎ ｌｉｎｅ）をアンテナとして使用する設計方式、若しくはマザーボードにチップアンテナ（ｃｈｉｐ ａｎｔｅｎｎａ）を設置する設計方式をよく使用している。前者の設計方式にはアンテナの効率を低減する欠点が存在し、後者の設計方式にはマザーボートの面積が大きくなったりアンテナの効率を低減したりする欠点が存在する。
【考案の概要】
【考案が解決しようとする課題】
【０００３】
そこで、如何にして構造設計によって無線イヤホンのアンテナの効率を改善したりマザーボートの面積を小さくしたりするかが、重要な課題となる。
【課題を解決するための手段】
【０００４】
本考案の目的は、チップアンテナを耳栓の内部に設置することによってマザーボートの面積を有効に小さくしたりアンテナの効率を有効に向上したりすることができるアンテナを搭載したイヤホン装置を提供することにある。
【０００５】
本考案の第１の実施例に係るアンテナを搭載したイヤホン装置は、同軸伝送線路、受話器及び信号処理モジュールを含む。同軸伝送線路は、第１のターミナルと第２のターミナルを有する。受話器は、アンテナモジュールとスピーカーモジュールを含む。アンテナモジュールとスピーカーモジュールは、互いに電気的に接続されると共に、同軸伝送線路の第１のターミナルに電気的に接続される。信号処理モジュールは、基本周波数ユニット（ｆｕｎｄａｍｅｎｔａｌｆｒｅｑｕｅｎｃｙ ｕｎｉｔ）と無線周波数ユニット（ｒａｄｉｏ ｆｒｅｑｕｅｎｃｙ ｕｎｉｔ）を含む。基本周波数ユニットと無線周波数ユニットは、互いに電気的に接続されると共に、同軸伝送線路の第２のターミナルに電気的に接続される。
【０００６】
本考案の第２の実施例に係るアンテナを搭載したイヤホン装置は、第１の同軸伝送線路、第２の同軸伝送線路、受話器ユニット及び信号処理モジュールを含む。第１の同軸伝送線路は、第１のターミナルと第２のターミナルを有する。第２の同軸伝送線路は、第１のターミナルと第２のターミナルを有する。受話器ユニットは、第１の受話器と第２の受話器を含む。第１の受話器は、第１のアンテナモジュールと第１のスピーカーモジュールを含む。第１のアンテナモジュールと第１のスピーカーモジュールは、互いに電気的に接続されると共に、第１の同軸伝送線路の第１のターミナルに電気的に接続される。第２の受話器は、第２の同軸伝送線路の第１のターミナルに電気的に接続される第２のスピーカーモジュールを含む。信号処理モジュールは、基本周波数ユニットと無線周波数ユニットを含む。基本周波数ユニットと無線周波数ユニットは、互いに電気的に接続されると共に、第１の同軸伝送線路の第２のターミナルと第２の同軸伝送線路の第２のターミナルに電気的に接続される。
【考案の効果】
【０００７】
本考案に係るアンテナを搭載したイヤホン装置は、「アンテナモジュールとスピーカーモジュールは、互いに電気的に接続されると共に、同軸伝送線路の第１のターミナルに電気的に接続される」との設計及び「基本周波数ユニットと無線周波数ユニットは、互いに電気的に接続されると共に、同軸伝送線路の第２のターミナルに電気的に接続される」との設計によって、マザーボートの面積を有効に小さくしたりアンテナの効率を有効に向上したりすることができる。
【図面の簡単な説明】
【０００８】
【図１】本考案の第１の実施例に係るアンテナを搭載したイヤホン装置のブロック模式図を示すものである。
【図２】本考案の第１の実施例に係るアンテナを搭載したイヤホン装置の同軸伝送線路の構造の模式図を示すものである。
【図３】本考案の第１の実施例に係るアンテナを搭載したイヤホン装置の立体模式図を示すものである。
【図４】本考案の第２の実施例に係るアンテナを搭載したイヤホン装置のブロック模式図を示すものである。
【図５】本考案の第２の実施例に係るアンテナを搭載したイヤホン装置の第１の同軸伝送線路の構造の模式図を示すものである。
【図６】本考案の第２の実施例に係るアンテナを搭載したイヤホン装置の第２の同軸伝送線路の構造の模式図を示すものである。
【図７】本考案の第２の実施例に係るアンテナを搭載したイヤホン装置の立体模式図を示すものである。
【考案を実施するための形態】
【０００９】
以下、本明細書と図面に開示された本考案の実施形態は、本考案の技術内容をより分かりやすく説明し、本考案の理解を助けるために実施例を挙げたことに過ぎず、本考案の範囲を限定するものではない。ここに開示された実施形態以外にも、本考案の技術的思想に基づく他の変形例も実施可能であることは、本考案の属する技術分野における当業者に自明なことである。
【実施例】
【００１０】
（第１の実施例）
図１〜図３に示すように、本考案の第１の実施例に係るアンテナを搭載したイヤホン装置Ｚは、同軸伝送線路１、受話器２及び信号処理モジュール３を含む。受話器２は、例えば耳栓式受話器（インナーイヤー式受話器とも言う）などのものであってもよい。アンテナを搭載したイヤホン装置Ｚを使用する時、ユーザーは、受話器２を耳に差し込むことによって、音声を聞くことができる。
【００１１】
図１に示すように、同軸伝送線路１は、第１のターミナル１ａと第２のターミナル１ｂを備える。受話器２は、アンテナモジュール２１とスピーカーモジュール２２を含む。アンテナモジュール２１とスピーカーモジュール２２は、互いに電気的に接続されると共に、同軸伝送線路１の第１のターミナル１ａに電気的に接続される。スピーカーモジュール２２がユーザーの耳（図示せず）に近接する一方、アンテナモジュール２１がユーザーの耳から離れると共にスピーカーモジュール２２との間に所定の距離（図示せず）を保つように設計するため、外部のもの（例えばユーザーの顔など）でアンテナモジュール２１のアンテナ放射特性を影響することなく、アンテナモジュール２１のアンテナの効率を低減することを防ぐことができる。これにより、本考案に係るアンテナを搭載したイヤホン装置Ｚは、マザーボートの面積を有効に小さくしたりアンテナの効率を有効に向上したりすることができる。アンテナモジュール２１はチップアンテナであってもよく、例えば動作周波数帯域（ｗｏｒｋｉｎｇ ｆｒｅｑｕｅｎｃｙ ｂａｎｄ）が２．４ＧＨｚであるセラミックスチップ型アンテナであってもよい。スピーカーモジュール２２は、例えば発音できるスピーカーであってもよい。
【００１２】
信号処理モジュール３は、基本周波数ユニット３１と無線周波数ユニット３２を含む。基本周波数ユニット３１と無線周波数ユニット３２は、互いに電気的に接続されると共に、同軸伝送線路１の第２のターミナル１ｂに電気的に接続される。基本周波数ユニット３１の基本周波数信号と無線周波数ユニット３２の無線周波数信号が同軸伝送線路１を介して信号処理モジュール３（におけるマザーボート）で混合され、信号処理モジュール３で同時に送受信されるため、基本周波数信号と無線周波数信号を混合するためのミキシング回路及びフィルター回路などの回路を備える基板を別途に設置する必要がない。また、基本周波数信号は、差分信号（ｄｉｆｆｅｒｅｎｔｉａｌ ｓｉｇｎａｌ）を使用してもよいため、ノイズを低減するための基板を別途に設置することなく、ノイズを低減することができる。また、基本周波数ユニット３１は低周波数信号（例えば、周波数が２０ＫＨｚ以下の音声信号）を処理するためのチップであってもよい。無線周波数ユニット３２は、高周波数信号（例えば動作周波数帯域が２．４ＧＨｚの信号）を処理するためのチップであってもよい。
【００１３】
図２に示すように、同軸伝送線路１は、中心導体（ｃｅｎｔｒａｌ ｃｏｎｄｕｃｔｏｒ）１１と、中心導体１１を覆うための絶縁体１２と、絶縁体１２を覆うための外部導体（ｅｘｔｅｒｎａｌ ｃｏｎｄｕｃｔｏｒ）１３と、を含む。中心導体１１の両端は、フィードインターミナル１１ａと信号接続ターミナル１１ｂを有する。外部導体１３は接地接続ターミナル１３ａを有する。中心導体１１のフィードインターミナル１１ａは信号処理モジュール３に近接する。中心導体１１の信号接続ターミナル１１ｂは受話器２に近接する。中心導体１１は、基本周波数信号と無線周波数信号を伝送するためのものである。外部導体１３は、基本周波数信号と無線周波数信号の基準接地（ｒｅｆｅｒｅｎｃｅ ｇｒｏｕｎｄ）として使用してもよい。また、同軸伝送線路１は同軸ケーブルであってもよい。
【００１４】
図１に示すように、本考案に係るアンテナを搭載したイヤホン装置Ｚは、信号処理モジュール３に電気的に接続される電池モジュール４を更に含む。電池モジュール４は、信号処理モジュール３に電力を供給するためのものである。電池モジュール４は、エネルギー蓄積装置として繰り返し充放電できる再充電可能電池（ｒｅｃｈａｒｇｅａｂｌｅ ｃｅｌｌ）を使用してもよい。
【００１５】
図３に示すように、本考案に係るアンテナを搭載したイヤホン装置Ｚは更にハウジング５を含む。同軸伝送線路１、受話器２、信号処理モジュール３及び電池モジュール４はハウジング５の内部に設置される。ハウジング５の内部に設置されるエレメントは、実際のニーズに応じて適当に増減したり変更したりすることができる。
【００１６】
（第２の実施例）
図４〜図７に示すように、本考案の第２の実施例に係るアンテナを搭載したイヤホン装置Ｚは、第１の同軸伝送線路８、第２の同軸伝送線路９、受話器ユニット及び信号処理モジュール３を含む。
【００１７】
図１と図４の対比から分かるように、第１の実施例との相違点は下記の通りである。第２の実施例において、第１の同軸伝送線路８は、第１のターミナル８ａと第２のターミナル８ｂを有する。第２の同軸伝送線路９は、第１のターミナル９ａと第２のターミナル９ｂを有する。受話器ユニットは、第１の受話器２ａと第２の受話器２ｂを含む。第１の受話器２ａは、第１のアンテナモジュール２１ａと第１のスピーカーモジュール２２ａを含む。第１のアンテナモジュール２１ａと第1のスピーカーモジュール２２ａは、互いに電気的に接続されると共に、第１の同軸伝送線路８の第１のターミナル８ａに電気的に接続される。第２の受話器２ｂは、第２のスピーカーモジュール２２ｂを含む。第２のスピーカーモジュール２２ｂは、第２の同軸伝送線路９の第１のターミナル９ａに電気的に接続される。信号処理モジュール３は、基本周波数ユニット３１と無線周波数ユニット３２を含む。基本周波数ユニット３１と無線周波数ユニット３２は、互いに電気的に接続されると共に、第１の同軸伝送線路８の第２のターミナル８ｂと第２の同軸伝送線路９の第２のターミナル９ｂに電気的に接続される。
【００１８】
図５に示すように、第１の同軸伝送線路８は、中心導体８１と、中心導体８１を覆うための絶縁体８２と、絶縁体８２を覆うための外部導体８３と、を含む。中心導体８１の両端は、フィードインターミナル８１ａと信号接続ターミナル８１ｂを有する。外部導体８３は接地接続ターミナル８３ａを有する。図６に示すように、第２の同軸伝送線路９は、中心導体９１と、中心導体９１を覆うための絶縁体９２と、絶縁体９２を覆うための外部導体９３と、を含む。中心導体９１の両端は、フィードインターミナル９１ａと信号接続ターミナル９１ｂを有する。外部導体９３は接地接続ターミナル９３ａを有する。
【００１９】
図４に示すように、本考案に係るアンテナを搭載したイヤホン装置Ｚは、信号処理モジュール３に電気的に接続される電池モジュール４を更に含む。図７に示すように、本考案に係るアンテナを搭載したイヤホン装置Ｚは、第１のハウジング６と第２のハウジング７を更に含む。また、第１の同軸伝送線路８、第１の受話器２ａ及び信号処理モジュール３は第１のハウジング６の内部に設置され、第２の同軸伝送線路９、第２の受話器２ｂ及び電池モジュール４は第２のハウジング７の内部に設置されるようにしてもよい。アンテナを搭載したイヤホン装置Ｚを使用する時、ユーザーは、第１の受話器２ａを左耳に差し込むと共に第２の受話器２ｂを右耳に差し込むことによって、音楽を立体的に聞くことができる。また、第１のハウジング６と第２のハウジング７の内部に設置されるエレメントは、実際のニーズに応じて適当に増減したり変換したりすることができる。
【００２０】
（実施例の効果）
本考案に係るアンテナを搭載したイヤホン装置は、「アンテナモジュールとスピーカーモジュールは、互いに電気的に接続されると共に、同軸伝送線路の第１のターミナルに電気的に接続される」との設計及び「基本周波数ユニットと無線周波数ユニットは、互いに電気的に接続されると共に、同軸伝送線路の第２のターミナルに電気的に接続される」との設計によって、マザーボートの面積を有効に小さくしたりアンテナの効率を有効に向上させたりすることができる。
【００２１】
上述したものは本考案の好ましい一例に過ぎず、本考案の実用新案登録請求の範囲を限定するものではない。本考案の明細書及び図面内容に基づいてなされた均等な変更および付加は、いずれも本考案の実用新案登録請求の範囲内に含まれるものとする。
【符号の説明】
【００２２】
Ｚ  アンテナを搭載したイヤホン装置
１  同軸伝送線路
１ａ、８ａ、９ａ  第１のターミナル
２ｂ、８ｂ、９ｂ  第２のターミナル
１１、８１、９１  中心導体
１１ａ、８１ａ、９１ａ  フィードインターミナル
１１ｂ、８１ｂ、９１ｂ  信号接続ターミナル
１２、８２、９２  絶縁体
１３、８３、９３  外部導体
１３ａ、８３ａ、９３ａ  接地接続ターミナル
２  受話器
２ａ  第１の受話器
２ｂ  第２の受話器
２１  アンテナモジュール
２１ａ  第１のアンテナモジュール
２２  スピーカーモジュール
２２ａ  第１のスピーカーモジュール
２２ｂ  第２のスピーカーモジュール
３  信号処理モジュール
３１  基本周波数ユニット
３２  無線周波数ユニット
４  電池モジュール
５  ハウジング
６  第１のハウジング
７  第２のハウジング
８  第１の同軸伝送線路
９  第２の同軸伝送線路
【図１】
0003180741.tif 000003
【図２】
0003180741.tif 000004
【図３】
0003180741.tif 000005
【図４】
0003180741.tif 000006
【図５】
0003180741.tif 000007
【図６】
0003180741.tif 000008
【図７】
0003180741.tif 000009